(57)【要約】      （修正有）【課題】魚釣り糸を通して仕掛けで機能を発揮して使い易いエコな遊動式のハザマ式中通しウキ、遊動式・固定式の密閉調整式棒ウキを提供する。【解決手段】遊動式のハザマ式中通しウキ１は、ひねり取っ手１３をひねり差し込み尖を差し込み止め孔より外して横開きしてミチ糸５を中央の糸通しに左側と右側より入れて閉じる。遊動式・固定式の密閉調整式棒ウキは、底端部に空気調整弁栓を操作してウキ胴体を伸縮させて浮力調整を行う。この２種のウキは、状況変化に即座にミチ糸５の脱着交換と浮力調整ができる釣ウキを特徴とする。【選択図】図１
2020078290.tif 000002
【特許請求の範囲】
【請求項１】
遊動式のハザマ式中通しウキ（１）は、ウキ胴体（２１）に左右にずれたひねり取っ手（１３）をひねり、差し込み止め尖（１６）を差し込み孔（１７）より外して横開きして、細糸や太糸のミチ糸（５）を中央の糸通し（１４）に左側と右側より通すとこで外れにくくなり差し込み止め尖（１６）を差し込み孔（１７）に入れて閉じる。遊動式ハザマ式中通しウキ（１）は、釣り場の状況変化に対して大型、中型、小型ウキが即座にミチ糸（５）への脱着交換ができる。遊動式ハザマ式中通しウキ（１）の上部に発光ライト用のチューブ（１２）を設けて夜釣り用の発光ライト（２９）を差し込んで夜釣りにもできるエコな魚釣り用の遊動式ハザマ式中通しウキ。
【請求項２】
遊動式・固定式の密閉調整式棒ウキ（２、３）は、密閉式で段部に３段と１段の弾性部材で密閉を強化して縮小の形状でも上段と下段に分かれてもウキ胴体（２１）を支えてガタツキを防止し、安定性が確保できる構造である。底端部の空気調整には、弾性部材を設けた空気調整弁（２３）と弾性部材を付けた弁尖（２０）の２タイプがあり、この２タイプに環付き（２０）、フリー固定式（２５）、固定式（３０）を付けて用途に応じて自在に交換ができる。浮力調整は、空気調整弁（２３）と弁尖（２０）を開放してウキ胴体（２１）を伸縮させて釣りオモリの負荷に合わせて調整をして閉める。この遊動式・固定式の密閉調整式棒ウキ（２、３）のウキ先端（２６）を変えることで遠投用の継ぎ足しウキ（２７）を付けることができて、その継部にアタッチメント（２８）を付けて夜釣り用の発光ライト（２９）も装置ができる。このアタッチメント（２８）は、市販の発光ライト（２９）の形状に応じてφ３７、φ５０、φ７５、φ１００の４タイプであれば十分に機能する。アタッチメント（２８）の４タイプに応じて突起で発光ライト（２９）を支持することで発光ライト（２９）を無くすことなく出し入れしやすい構造でエコな魚釣り用の遊動式・固定式の密閉調整式ウキ。
【発明の詳細な説明】
【技術分野】
【０００１】  本発明は、魚釣り糸を通じて仕掛け機能で発揮するエコな魚釣りウキに関するものである。
【背影技術】
【０００２】  従来、釣りウキは、対象魚の釣り時期、釣り場所、釣り方法で多種多彩の中から道具を選択して仕掛けを用意して、釣りの時間帯、潮位の変動、遠・近場、魚の修正の変化に応じて仕掛けを即座に変えることには時間のロスが多かった。また、魚釣りウキの持ち運びには細心の注意を払わなければならなかった。
【先行技術文献】
【特許文献】
【０００３】
【特許文献１】特開２００５−３２８８２７号公報
【発明の概要】
【発明が解決しようとする課題】
【０００４】  これは、次のような欠点があった。
従来、中通し釣りウキのウキ止めを引っ掛ける装置は、ミチ糸との摩擦抵抗で遠投するには不向きであった。また、中通し釣りウキに長短のアームを取り付けと集魚のカゴでの遠投にはバランスの問題があった。中通し釣りウキの糸通し縦半割りのミチ糸を通すときは太いミチ糸は簡単に入れ替えはできるが細いミチ糸で付着して交換が容易でなかった。
このように釣り場の変化に対して対応することには難しい中通し釣りウキであった。
本発明は以上のような欠点をなくすためになされたものである。
【課題を解決するための手段】
【０００５】  魚釣りウキは、固定式と遊動式がある。釣り場のポイントでの遠・近場、水深、潮位、対象魚の遊泳層に応じて釣りウキの大型、中型、小型を使い分けて、対象魚のねらう所定の水深にエサを誘導し固定し、魚心を伝える役割をする。釣り場は、防波堤、磯、砂浜、船、渓流、湖沼川等があり、釣り方は、ウキ、ミヤク、フカセ、投げ、サビキ、ルアー、トローリング、フライフィッシング釣り等がある。魚釣りウキは釣り場の自然条件と対象魚の変化に対応するために、遊動式のハザマ式中通しウキ（１）と遊動式・固定式の密閉調整式棒ウキ（２、３）である。遊動式のハザマ式中通しウキ（１）は、ひねり取っ手（１３）をひねり差し込み尖（１６）を差し込み止め孔（１７）より外して横開きしてミチ糸（５）を中央の糸通し（１４）に左側と右側より通す方法で細糸や太糸に対応ができて外れにくくなり差し込み尖（１６）を差し込み止め孔（１７）に入れて閉じる。遊動式のハザマ式中通しウキ（１）の交換が大型、中型、小型ウキを状況の変化に応じて即座にミチ糸（５）への着脱交換ができる。遊動式、固定式の密閉調整式棒ウキ（２、３）は、底端部に空気調整弁栓（２０、２５、３０）を設け、釣り場の自然条件と対象魚の遊泳層の変化に対して遊動式、固定式密閉調整式棒ウキ（２、３）の空気調整弁栓（２０、２５、３０）を操作してウキ胴体（２１）を伸縮させて浮力調整、微調整をして状況の変化に即座に対応ができる。空気調整弁栓（２０、２５、３０）は、用途に応じて自在交換ができる。
本発明は、以上の構成よりなるエコな釣りウキである。
【発明の効果】
【０００６】  遊動式のハザマ式中通し釣りウキは、ひねり取っ手をひねり差し込み尖を差し込み孔より外して横開きにしてミチ糸を中央の糸通しに左側と右側より通す方法で細糸や太糸に対応ができて外れなくなり、差し込み尖を差し込み孔に入れて閉じる。このように大型、中型、小型ウキが状況の変化に対して即座にミチ糸への脱着交換が容易にできることが特色である。また、頭部にチューブ管を設置して夜釣りの差し込み発光ライトも装着できる。遊動式、固定式の密閉調整式棒ウキは、底端部の空気調整弁栓を操作してウキ胴体を伸縮させて浮力調整、微調整ができる。空気調整弁栓は弾性部材を設けたプッシュ弁と弾性部材を付けた弁栓の２タイプがあり、空気調整弁栓の端部を固定式、フリー固定式、環付遊動式の３タイプを用途に応じて自在交換ができ、ウキ胴体の段部には密閉を強化するため弾性部材を３段と１段に設けることでガタツキを防止し安定性が確保できることが特色である。この遊動式、固定式の密閉調整式棒ウキの先端を変えることで遠投用にウキを継ぎ足すことができて、その継部にアタッチメントを付けて夜釣り用の発光ライトも装着ができる。遊動式、固定式の密閉調整式棒ウキは、伸縮することにより損傷も少なくなり持ち運びも楽になる。
【図面の簡単な説明】
【０００７】
【図１】  本発明の遊動式のハザマ式中通しウキの使用の仕掛けの外観斜視図である。
【図２】  本発明の遊動式のハザマ式中通しウキの正面図である。
【図３】  本発明の遊動式のハザマ式中通しウキの平面図である。
【図４】  本発明の遊動式のハザマ式中通しウキの横開きの正面図である。
【図５】  図４の横開き中央の断面図である。
【図６】  図５の閉じた中央の断面図である。
【図７】  糸通し部の拡大正面図である。
【図８】  図７の拡大断面図である。
【図９】  本発明の遊動式、固定式の密閉調整式棒ウキ３段式に環付の使用の仕掛けの外観斜視図である。
【図１０】  本発明の遊動式、固定式の密閉調整式棒ウキ３段式に環付の正面図である。
【図１１】  本発明の遊動式、固定式の密閉調整式棒ウキ３段式に環付の平面図である。
【図１２】  本発明の遊動式、固定式の密閉調整式棒ウキ３段式に環付の底面図である。
【図１３】  図１０の詳細構造断面正面図である。
【図１４】  本発明の遊動式、固定式の密閉調整式棒ウキ３段式に環付の縮小の正面図である。
【図１５】  図１４の縮小の詳細構造断面正面図である。
【図１６】  本発明の遊動式、固定式の密閉調整式棒ウキの段部の詳細拡大構造断面図である。（共通）
【図１７】  遊動式、固定式の密閉調整式棒ウキの底端部の空気調整のプッシュ弁の閉鎖の詳細構造図である。（共通）
【図１８】  遊動式、固定式の密閉調整式棒ウキの底端部の空気調整のプッシュ弁の開放の詳細構造図である。（共通）
【図１９】  遊動式、固定式の密閉調整式棒ウキの底端部の空気調整の弁栓の閉鎖の詳細構造図である。
【図２０】  遊動式、固定式の密閉調整式棒ウキの底端部の空気調整の弁栓の開放の詳細構造図である。（共通）
【図２１】  遊動式、固定式の密閉調整式棒ウキの先端部の正面図である。（共通）
【図２２】  図２１の詳細構造断面図である。（共通）
【図２３】  図２２に遠投用のウキを継ぎ足した詳細構造断面図である。（共通）
【図２４】  図２１の先端部にアタッチメントを取り付けた正面図である。（共通）
【図２５】  図２４の詳細構造断面図である。（共通）
【図２６】  図２４のアタッチメントに発光ライトを取り付けた正面図である。（共通）
【図２７】  図２６の詳細構造断面図である。
【図２８】  遊動式、固定式の密閉調整式棒ウキの底端部の空気調整弁栓の固定式の詳細正面図である。（共通）
【図２９】  遊動式、固定式の密閉調整式棒ウキの底端部の空気調整弁栓の環付遊動式の詳細正面図である。（共通）
【図３０】  遊動式、固定式の密閉調整式棒ウキの底端部の空気調整弁栓のフリー固定式の詳細正面図である。（共通）
【図３１】  本発明の遊動式、固定式の密閉調整式棒ウキ２段式のフリー固定式付きの正面図である。
【図３２】  本発明の遊動式、固定式の密閉調整式棒ウキ２段式の平面図である。
【図３３】  本発明の遊動式、固定式の密閉調整式棒ウキ２段式のフリー固定式の底面図である。
【図３４】  図３１の詳細構造断面正面図である。
【図３５】  本発明の遊動式、固定式の密閉調整式棒ウキ２段式のフリー固定式付きの縮小の正面図出る。
【図３６】  図３５の縮小の詳細構造断面正面図である。
【発明を実施するための形態】
【０００８】  以下、本発明を実施するための形態を図面に基づき詳細に説明する。
図１〜図８は本発明の第１の実施の形態に係わり、図１は遊動式のハザマ式中通しウキの使用の仕掛けの外観斜視図、図２は遊動式のハザマ式中通しウキの正面図、図３は遊動式のハザマ式中通しウキの平面図、図４は遊動式のハザマ式中通しウキの横開きの正面図、図５は図４の横開き中央の断面図、図６は図５の閉じた中央の断面図、図７は糸通し部の拡大正面図、図８は図７の拡大断面図である。
【０００９】  図１〜図８はで示すように、遊動式のハザマ式中通しウキ（１）は、ウキ胴体（２１）に左右にずれたひねり取っ手（１３）をひねり、差し込み止め尖（１６）を差し込み止め孔（１７）より外して横開きしてミチ糸（５）を中央の糸通し（１４）に左側と右側より通す方法で細糸や太糸のミチ糸（５）が外れなくなり差し込み止め尖（１６）を差し込み孔（１７）に入れて閉じる。遊動式のハザマ式中通しウキ（１）の交換が大型、中型、小型ウキを状況の変化に対して即座にミチ糸（５）への脱着交換ができる。遊動式のハザマ式中通しウキ（１）の上部に発光ライト用のチューブ（１２）を設けて夜釣り用の発光ライト（２９）を差し込んで夜釣りもできる。
本発明は、以上のような構造である。
【００１０】  遊動式のハザマ式中通しウキ（１）の形状は、糸通し（１４）で小型は左側と右側より通して、中型、大型ウキは左側、右側、左側より通す構造で釣りオモリ負荷によりＢ型、２Ｂ型、３Ｂ型、４Ｂ型、０．５号型、１号型、１．５号型、２号型、２．５号型、３号型の小型ウキと４号型、６号型、８号型、１０号型の中型ウキ、大型ウキが１２号型、１３号型、１４号型、１５号型、２０号型、２５号型、３０号型に対応の大きさとなる。材質は木製、セル製、硬質発泡性、ウレタン製、ＥＶＡ製等があり、ウキは軽量で強硬、柔軟性が求められ、安価な材料で加工がしやすい材質で製造、販売を検討しなければならない。
【００１１】  遊動式のハザマ式中通しウキ（１）の開閉のひねり方法以外に、止め方としてマジッバンドを使用した開閉方法やプッシュボタンを使用した開閉方法や伸縮型の弾性部材のバンドを利用した遊動式のハザマ式中通しウキ（１）である。
【００１２】  以下、本発明を実施するための形態を図面に基づき詳細に説明する。
図９〜図３６は、本発明の第１の実施の形態に係わり、図９は本発明の遊動式、固定式の密閉調整式棒ウキ３段式に環付の使用の仕掛けの外観斜視図、図１０は本発明の遊動式、固定式の密閉調整式棒ウキ３段式に環付の正面図、図１１は平面図、図１２は底面図、図１３は詳細構造断面正面図、図１４は本発明の遊動式、固定式の密閉調整式棒ウキ３段式の環付の縮小の正面図、図１５は詳細構造断面正面図、図１６は段部の詳細拡大構造断面図、図１７は遊動式、固定式の密閉調整式棒ウキの底端部の空気調整のプッシュ弁の閉鎖の詳細構造図、図１８は空気調整のプッシュ弁の開放の詳細構造図、図１９は遊動式、固定式の密閉調整式棒ウキの底端部の空気調整の弁栓の閉鎖の詳細構造図、図２０は空気調整の弁栓の開放の詳細構造図、図２１は遊動式、固定式の密閉調整式棒ウキの先端部の正面図、図２２は詳細構造断面図、図２３は遠投用のウキを継ぎ足した詳細構造断面図、図２４は先端部にアタッチメントを取り付けた正面図、図２５は詳細構造断面図、図２６はアタッチメントに発光ライトを取り付けた正面図、図２７は詳細構造断面図、図２８は遊動式、固定式の密閉調整式棒ウキの底端部の空気調整弁の固定式の詳細正面図、図２９は空気調整弁栓の環付遊動式の詳細正面図、図３０は空気調整弁栓のフリー固定式の詳細正面図、図３１は本発明の遊動式、固定式の密閉調整式棒ウキ２段式のフリー固定式付きの正面図、図３２は平面図、図３３は底面図、図３４は詳細構造断面正面図、図３５は本発明の遊動式、固定式の密閉調整式棒ウキ２段式のフリー固定式付きの縮小の正面図、図３６は縮小の詳細構造断面正面図である。
【００１３】  図９〜図３６で示すように、この遊動式、固定式の密閉調整式棒ウキ（２、３）は、密閉式で段部に３段と１段の弾性部材で密閉を強化して縮小の形状でも上段と下段に分かれてウキ胴体（２１）を支えてガタツキを防止し安定性が確保できる構造である。底端部の空気調整には、弾性部材を設けた空気調整弁（２３）と弾性部材を付けた弁栓（２０）の２タイプがあり、この２タイプに各環付き式、フリー固定式、固定式を付けたもので用途に応じて自在に交換ができる。浮力調整は、空気調整弁（２３）と弁栓（２０）を開放してウキ胴体（２１）を伸縮させて調整をして閉める。オモリ負荷の表示があれば微調整も容易にできる。この遊動式、固定式の密閉調整式棒ウキ（２、３）のウキ先端（２６）を変えることで遠投用の継ぎ足しウキ（２７）を付けることができて、その継部にアタッチメント（２８）を付けて、夜釣り用の発光ライト（２９）も装置ができる。このアタッチメント（２８）は市販の発光ライト（２９）の形状に応じてφ３７、φ５０、φ７５、φ１００と４タイプがあれば十分に機能する。アタッチメント（２８）の構造は２段の突起で発光ライト（２７）を支持しているが、発光ライト（２９）の形状に応じて支持する突起を３段、４段と増やして発光ライト（２９）を無くすことなく出し入れしやすい構造となる。
【００１４】  魚釣りで同じ対象魚、同じ釣り仕掛けでも自然条件が変われば釣りウキも大小と形状を変える。そのため、釣りウキの種類は多種多様である。釣りウキのタイプは大きく玉ウキ、棒ウキ、中通しウキ、夜釣り用ウキの４タイプで、釣りの仕掛けは、固定式と遊動式である。これらの用途を考慮し発明されたのが、先述の遊動式のハザマ式中通しウキ（１）と遊動式・固定式の密閉調整式棒ウキ（２、３）である。遊動式・固定式の密閉調整式棒ウキ（２、３）の形状は、浮力調整を行う空気調整弁（２３）と空気調整弁栓（２０）の直径と釣りオモリの負荷で形状が決まる。現段階では、ウキ胴体（２１）の下段の最小は、直径が約φ０．５ｃｍ〜φ０．５５ｃｍの大きさである。釣りウキの材質は、ＥＶＡ（エチレン酢酸ビニルポリマー）、ＰＰ（プリプロピレン）等のプラスチック製、ファイバー製等があり、軽量、強硬、柔軟性を求め、安価な材料で加工製造、販売を検討しなければならない。
【符号の説明】
【００１５】１    遊動式のハザマ式中通しウキ
２    遊動式・固定式の密閉調整式棒ウキ（３段式）
３    遊動式・固定式の密閉調整式棒ウキ（２段式）
４    ウキ用スナップ付きサルカン
５    ミチ糸
６    ウキ止め
７    遊動玉ウキ（玉ウキ、セル玉、シモリ玉）
８    スナップ付きサルカン
９    ガン玉（カミツブシ、割ビシ）
１０  ハリス
１１  ハリ
１２  発光ライト用チューブ
１３  ひねり取っ手
１４  糸通し
１５  糸通しカバー
１６  差し込み止め尖
１７  差し込む止め孔
１８  糸通し口
１９  ジョイント
２０  環付き弁栓（環付き遊動式）
２１  ウキ胴体
２２  弾性部材
２３  空気調整弁（プッシュ一式）
２４  空気孔
２５  フリー固定弁栓（フリー固定式）
２６  ウキ先端
２７  継ぎ足しウキ
２８  アタッチメント
２９  発光ライト
３０  固定弁栓（固定式）
【図１】
2020078290.tif 000003
【図２】
2020078290.tif 000004
【図３】
2020078290.tif 000005
【図４】
2020078290.tif 000006
【図５】
2020078290.tif 000007
【図６】
2020078290.tif 000008
【図７】
2020078290.tif 000009
【図８】
2020078290.tif 000010
【図９】
2020078290.tif 000011
【図１０】
2020078290.tif 000012
【図１１】
2020078290.tif 000013
【図１２】
2020078290.tif 000014
【図１３】
2020078290.tif 000015
【図１４】
2020078290.tif 000016
【図１５】
2020078290.tif 000017
【図１６】
2020078290.tif 000018
【図１７】
2020078290.tif 000019
【図１８】
2020078290.tif 000020
【図１９】
2020078290.tif 000021
【図２０】
2020078290.tif 000022
【図２１】
2020078290.tif 000023
【図２２】
2020078290.tif 000024
【図２３】
2020078290.tif 000025
【図２４】
2020078290.tif 000026
【図２５】
2020078290.tif 000027
【図２６】
2020078290.tif 000028
【図２７】
2020078290.tif 000029
【図２８】
2020078290.tif 000030
【図２９】
2020078290.tif 000031
【図３０】
2020078290.tif 000032
【図３１】
2020078290.tif 000033
【図３２】
2020078290.tif 000034
【図３３】
2020078290.tif 000035
【図３４】
2020078290.tif 000036
【図３５】
2020078290.tif 000037
【図３６】
2020078290.tif 000038